(57)【要約】【課題】アンテナ接続装置において、ストッパ用ゴムを無くして生産費用を節減してストッパ用ゴム装着工程時に発生する多数の不良製品の発生を阻む。【解決手段】アンテナ接続装置において、平板状の固定端300と、第1テンション部400と、長傾斜部610と、上記長傾斜部610先端から折曲されて延長された短傾斜部610を含む自由端600と、上記固定端300の他端から延長され、丸く曲がった第2テンション部500と、上記第2テンション部500の先端から平坦に延長される平坦部710と、上記平坦部710の先端から上記固定端側300と反対側に折曲され延長されるが、上記第1テンション部400の方へ丸く曲がったまま延長されて形成された曲面部720を含む支持端700を含み、上記曲面部720は上記自由端下側に位置する構成とした。【選択図】    図５
2011521585.tif 000002
【特許請求の範囲】
【請求項１】
アンテナ接続装置において、平板状の固定端と、
上記固定端の一端から延長され丸く曲がった第1テンション部と、
上記第1テンション部の先端から延長され、上記固定端側反対側に折曲され延長される長傾斜部と、
上記長傾斜部先端から折曲されて延長された短傾斜部を含む自由端と、
上記固定端の他端から延長され、丸く曲がった第2テンション部と、
上記第2テンション部の先端から平坦に延長される平坦部と、
上記平坦部の先端から上記固定端側反対側に折曲され延長されるが上記第1テンション部方へ丸く曲がったまま延長されて形成された曲面部を含む支持端を含み、
上記曲面部は上記自由端下側に位置することを特徴とするアンテナ接続装置。
【請求項２】
請求項1において、
上記第1テンション部と上記第2テンション部の曲率半径は互いに同一であることを特徴とするアンテナ接続装置。
【請求項３】
請求項1において、
上記第1テンション部と上記自由端の水平長さが上記第2テンション部と上記支持端の水平長さより短いことを特徴とするアンテナ接続装置。
【請求項４】
請求項1において、
上記曲面部の先端は上記平坦部より上記固定端からさらに近いところに位置することを特徴とするアンテナ接続装置。
【請求項５】
アンテナ接続装置において、平板状の固定端と、
上記固定端の一端から延長され丸く曲がった第1テンション部と、
上記第1テンション部の先端から平坦に延長される平坦部と、
上記平坦部の先端から上記固定端側と反対側に折曲され平坦に延長される第2平坦部と、
上記第2平坦部先端から延長されるが第2テンション部方へ丸く曲がったまま延長される第1曲面部を含む自由端と、
上記固定端の他端から延長され丸く曲がった第2テンション部と、
上記第2テンション部の先端から延長され、上記固定端側反対側に折曲され延長される傾斜部と、
上記傾斜部先端から上記固定端側反対側に延長されるが上記第2テンション部方へ丸く曲がって延長される第2曲面部を含む支持端を含み、
上記第2曲面部は上記第1曲面部の下に位置することを特徴とするアンテナ接続装置。
【請求項６】
請求項5において、
第1テンション部の曲率半径が上記第2テンション部の曲率半径より大きいことを特徴とするアンテナ接続装置。
【請求項７】
請求項5において、
上記第1テンション部と上記自由端の水平長さが上記第2テンション部と上記支持端の水平長さより長いことを特徴とするアンテナ接続装置。
【請求項８】
請求項5において、
上記第2平坦部は、上記第1平坦部と垂直であることを特徴とするアンテナ接続装置。
【請求項９】
請求項5において、
上記第2テンション部の一部領域に凹溝が形成されていることを特徴とするアンテナ接続装置。
【請求項１０】
請求項5において、上記自由端は、
上記自由端の所定の位置に上記平坦部の表面を水平で維持するために固定フックにかける係止突起を更に含み、
上記固定端は、上記自由端の係止突起と対応する所に位置して上記自由端の係止突起が掛けられる固定フックを更に含み、
上記自由端の係止突起が上記固定端の固定フックにかけることにより上記平坦部が水平を維持して上記第1テンション部に一定程度の変形荷重が加えられる效果が発生することを特徴とするアンテナ接続装置。
【請求項１１】
請求項1、5、10の中いずれか一項において、
上記固定端の両側には対向する位置に溝が形成されていることを特徴とするアンテナ接続装置。
【請求項１２】
アンテナ接続装置において、平板状の固定端と、
上記固定端の一端から延長されて丸く曲がった第1テンション部と、
上記第1テンション部の先端から平坦に延長される第1平坦部と、上記第1平坦部の先端から上記固定端側反対側に折曲されて平坦に延長される第2平坦部と、上記第2平坦部先端から延長されるが曲面型支持端方へ丸く曲がったまま延長される第1曲面部を含む自由端と、
上記固定端の先端から垂直に折曲され上記固定端の垂直方向に延長され、対称で2つが形成された曲面型支持端垂直部と、
上記曲面型支持端垂直部の先端から一定な曲率半径を持って円形なって折曲されて固定端側方向が開放された曲面型支持端支持部と、
上記曲面型支持端垂直部の先端から水平で横に折曲され上記固定端と遠くなる方向へ水平方向に延長される曲面型支持端水平部を含む曲面型支持端を含み、
上記曲面型支持端支持部は、上記第1曲面部の下に位置することを特徴とするアンテナ接続装置。
【請求項１３】
請求項12において、
上記第1テンション部と上記自由端の水平長さが上記曲面型支持端の水平長さより長いことを特徴とするアンテナ接続装置。
【請求項１４】
請求項12において、
上記第2平坦部は、上記第1平坦部と垂直であることを特徴とするアンテナ接続装置。
【請求項１５】
請求項12から14のうちいずれか一項において、
上記固定端の両側には対向する位置に溝が形成されていることを特徴とするアンテナ接続装置。
【発明の詳細な説明】
【技術分野】
【０００１】
本発明はアンテナ接続装置に関する。更に詳しくは2つのテンション部と支持端の曲面部によって効果的に外部荷重を分散させてストッパ用ゴムが必要ないアンテナ接続装置に関する。
【背景技術】
【０００２】
従来は2つの締結片を有しており、メインPCBに備えた孔に挿入された後半田付け(soldering)によって固定されるものである。
【０００３】
これに関する発明が韓国公開特許2003-17915号(携帯電話用アンテナ接続装置)に公開されている。図1は、上記公開発明の携帯電話用アンテナ接続装置が示されている斜視図である。図1から分かるように上記公開発明は、両側に折曲され、互いに対向するように形成された締結片111を有した固定部110と、上記固定部の一側から延長され、その先端が上記固定部に向かうように折曲して弾性力を提供し、所定の曲率半径を有した折曲部130と、上記折曲部の先端から折曲されて上記固定部と遠くなる方向に延長される傾斜部123と、上記傾斜部の所定位置で折曲され、アンテナブッシングと接続する接続部121からなる自由端120と、上記傾斜部と折曲部にわたっている所定の開口140で構成されていることを特徴とする携帯電話用アンテナ接続装置100に関する。
【０００４】
図2は、上記公開発明である携帯電話用アンテナ接続装置を用いた携帯電話のアンテナ接続構造を示す側断面図である。図2から分かるように上記公開発明のアンテナ接続装置100はメインPCB220の装着孔に挿入されて固定される。
【０００５】
上記された従来発明による場合には携帯電話のメインPCBと固定するために2つの締結片が要り、これに合わせてメインPCBにも上記締結片を挿入するための装着孔を形成することが必要である。これはメインPCB製作及び上記携帯電話用アンテナ接続装置の製作工程に無駄な浪費をもたらす問題点がある。
【０００６】
また、メインPCBとアンテナ接続装置の接合が半田付けによる自動大量生産体制にも符合されない問題点がある。
【０００７】
図3には、本発明の先行技術である携帯用アンテナ接続装置が図示されている。
変形荷重が接続部860に外部から加えられた時に自由端の短傾斜部850がゴム810に接触して衝撃を緩和させる構造で構成されている。この携帯用アンテナ接続装置は持続的な接点機能維持のためにストッパ用ゴムが備えられており、ストッパ用ゴムを追加に装着するために生産費が追加され、生産時間が遅延される。また、工程難易度が高いゴム装着過程によって多数の不良品が生ずる。
【０００８】
図4は、韓国登録実用20-0424639の斜視図である。
図4に図示された登録実用新案は外部から変形荷重が加えられた時に支持端接続部934が第2長傾斜部951と接触しながら滑るようになって上記第2長傾斜部に傷が多数発生する。また、支持端950の先端がＬ字のように折れ、変形荷重が作用して支持端の先端が固定端910に接触される時に変形荷重を効果的に分散させることができず、第2テンション部940に多い変形荷重が作用し、上記第2テンション部にかかる応力が大きくなって材質の疲労度が増加し、変形荷重が除去された時に上記第2テンション部の回復程度が小さくなくなる。
【発明の概要】
【発明が解決しようとする課題】
【０００９】
本発明は、ストッパ用ゴムを追加的に装着する工程を無くして生産費用を節減し、工程難易度が高いストッパ用ゴム装着工程を無くすことにより、ストッパ用ゴム装着工程時に発生する多数の不良製品の発生を阻むことを目的とする。
最後に、変形荷重の作用時に、支持端の曲率部に発生する傷を小さくし、変形荷重の作用時に支持端の曲率部が固定端に接触した時に支持端の曲率部が変形荷重を効果的に分散させることを目的とする。
【課題を解決するための手段】
【００１０】
上記された目的を果たすための技術的思想として、本発明では、第1観点として、アンテナ接続装置において、平板状の固定端と、上記固定端の一端から延長され、丸く曲がった第1テンション部と上記第1テンション部の先端から延長され、上記固定端側の反対側に折曲され延長される長傾斜部と、上記長傾斜部先端から折曲され延長された短傾斜部を含む自由端と、上記固定端の他端から延長され丸く曲がった第2テンション部と、上記第2テンション部の先端から平坦に延長される平坦部と、上記平坦部の先端から上記固定端側反対側に折曲されて延長され、上記第1テンション部方へ丸く曲がったまま延長され形成された曲面部を含む支持端を含み、上記曲面部は上記自由端の下側に位置することを特徴とするアンテナ接続装置が提示され、上記第1テンション部と上記第2テンション部の曲率半径は互いに同一であることを特徴とし、上記第1テンション部と上記自由端の水平長さが上記第2テンション部と上記支持端の水平長さより短いことを特徴とし、上記曲面部の先端は上記平坦部より上記固定端からもっと近くに位置することを特徴とする。
第2観点として、アンテナ接続装置において、平板状の固定端と、上記固定端の一端から延長されて丸く曲がった第1テンション部と、上記第1テンション部の先端から平坦に延長される平坦部と、上記平坦部の先で上記固定端側の反対側に折曲されて平坦に延長される第2平坦部と、上記第2平坦部の先端から延長されるが第2テンション部方へ丸く曲がったまま延長される第1 曲面部を含む自由端と、上記固定端の他端から延長され丸く曲がった第2テンション部と、上記第2テンション部の先端から延長され、上記固定端側の反対側に折曲され延長される傾斜部と、上記傾斜部の先端から上記固定端側の反対側で延長され、上記第2テンション部方へ丸く曲がって延長される第2曲面部を含む支持端を含み、上記第2曲面部は上記第1曲面部の下に位置することを特徴とするアンテナ接続装置が提示され、第1テンション部の曲率半径が上記第2テンション部の曲率半径より大きいことを特徴とし、上記第1テンション部と上記自由端の水平長さが上記第2 テンション部と上記支持端の水平長さより長いことを特徴とし、上記第2平坦部は上記第1平坦部と垂直であることを特徴とし、上記第2テンション部の一部領域に凹溝が形成されていることを特徴とする。
一方、第1観点または第2観点において、上記固定端の両側には対向する位置に溝が形成されていることを特徴とする。
第3観点として、アンテナ接続装置において、平板状の固定端と、上記固定端の一端から延長されて丸く曲がった第1テンション部と、上記第1テンション部の先端から平坦に延長される第1平坦部と、上記第1平坦部の先端で上記固定端側反対側に折曲されて平坦に延長される第2平坦部と、上記第2平坦部先端から延長されるが曲面型支持端方へ丸く曲がったまま延長される第1曲面部を含む自由端と、上記固定端の先端から垂直に折曲され、上記固定端の垂直方向に延長されて対称で2つが形成された曲面型支持端垂直部と、上記曲面型支持端垂直部の先端から一定な曲率半径を持って、円形になって折曲され固定端側方向が開放された曲面型支持端支持部と、上記曲面型支持端垂直部の先端から水平で横に折曲され、上記固定端と遠くなる方向に水平方向で延長される曲面型支持端水平部を含む曲面型支持端を含み、上記曲面型支持端支持部は上記第1曲面部の下に位置することを特徴とするアンテナ接続装置が提示される。
上記第3観点において、上記第1テンション部と上記自由端の水平長さが上記曲面型支持端の水平の長さより長いことを特徴とし、上記第3観点において、上記第2平坦部は上記第1平坦部と垂直であることを特徴とし、上記第3観点において、上記固定端の両側には対向する位置に溝が形成されていることを特徴とする。
【発明の効果】
【００１１】
本発明の第1及び第2実施例によるアンテナ接続装置では2つのテンション部を上記固定端の両先端に形成させたから、変形荷重を2つのテンション部に分散して変形荷重による変形負担を減らすことができ、また、上記2つのテンション部によってストッパ用ゴムが装着されなくても安定的で堅固な接続機能を確保することができ、既存の発明に存在するストッパ用ゴムを追加的に装着する工程が無くされ生産費用を節減することができ、工程難易度が高いストッパ用ゴム装着工程が無く、ストッパ用ゴム装着工程の時に発生する多数の不良製品の発生が無くなる。
また、二重構造方式によって材質の疲労度を效果的に分散させることにより、持続的かつ安定的な接点機能を維持することができる。
【００１２】
本発明の場合に変形荷重作用の時、支持端の曲面部が自由端と接触するとき、接触面積は広いが曲面で接触することになって上記接触による自由端の傷が少なくなる。
【図面の簡単な説明】
【００１３】
【図１】従来技術の携帯電話用アンテナ接続装置が示される斜視図である。
【図２】従来技術の携帯電話用アンテナ接続装置を用いた携帯電話のアンテナ接続構造が示される側断面図である。
【図３】他の従来技術の携帯電話用アンテナ接続装置が図示されている。
【図４】他の従来技術である韓国登録実用20-0424639の斜視図である。
【図５】本発明の第1実施例による携帯電話用アンテナ接続装置の斜視図である。
【図６】本発明の第1実施例による携帯電話用アンテナ接続装置の平面図である。
【図７】本発明の第1実施例による携帯電話用アンテナ接続装置の側面図である。
【図８】本発明の第2実施例による携帯電話用アンテナ接続装置の斜視図である。
【図９】本発明の第2実施例による携帯電話用アンテナ接続装置の平面図である。
【図１０】本発明の第2実施例による携帯電話用アンテナ接続装置の側面図である。
【図１１】本発明の第2実施例に変形荷重が作用する時に変形される前と変形された後の模様が図示されている。
【図１２】本発明の第2実施例が内装用アンテナ1000に設けられたことが図示されている。
【図１３】内装用アンテナ1000に変形荷重が作用して本発明の第2実施例の変形が生じた場合に対して図示されている。
【図１４】本発明の第2実施例に固定端300の両側面に固定フック320と自由端の両側面に係止突起680が追加された第3実施例の側面図である。
【図１５】本発明の第3実施例に変形荷重が作用して上記自由端が変形された模様が図示されている。
【図１６】本発明の第4実施例による携帯電話用アンテナ接続装置の斜視図である。
【図１７】本発明の第4実施例による携帯電話用アンテナ接続装置の側面図である。
【図１８】本発明の第4実施例に変形荷重が変形される前と変形された後の模様が図示されている。
【発明を実施するための形態】
【００１４】
以下、本発明の実施例に対する構成及びその作用を添付した図面を参照しながら詳しく説明する。
図5は、本発明の第1実施例による携帯電話用アンテナ接続装置の斜視図である。
図5に図示されたように、本発明の第1実施例による携帯電話用アンテナ接続装置は携帯電話のメインPCBと半田付けで接着される固定端300と、接続部630と長傾斜部610及び短傾斜部620を含む自由端600と、支持端平坦部710及び曲面部720を含む支持端700と、上記固定端と自由端を連結する第1テンション部400と、上記固定端と支持端を連結する第2テンション部500を含むことを特徴とする。
本発明の第1実施例は、2つのテンション部を持って電波がアンテナに伝達する時に伝導性が向上される。
【００１５】
上記固定端300は平板状であって、携帯電話のメインPCBと半田付けで固定され、固定端の両側には対向される位置に半田付け溝310が形成されている。この半田付け溝310は半田付け時に溶融状態の鉛が半田付け溝を覆う状態で凝固され、メインPCBと固定端下面に鉛が満たされる。4つの半田付けホールがあって接触不良の可能性を低減して、半田付け時の冷半田付け現象を防止するだけでなく半田付け性が向上される。また、半田付け溝が4つあって固定端に加えられる水平力を分散させることができ、半田付け溝方向への全ての方向からの水平力に対しても相当な抵抗力を発揮して半田付けの堅固性が高められる。また、表面実装装置(Surface Mount Device・・・SMD)を用いて自動実装時に便利となり、アンテナ接続装置が自動実装時に外れる恐れがない。
【００１６】
上記第1テンション部400は、上記固定端300の一端から延長され、円形になって折曲され、その先端は上記固定端と平行に形成される。
上記自由端600は、上記第1テンション部400の先端から上記固定端300と遠くなる方向に延長される長傾斜部610と、上記長傾斜部610の一部を曲率を持つように折曲されて、上記固定端方向に延長される短傾斜部620と、短傾斜部620と長傾斜部の間の折曲部分の周囲に形成され、そのアンテナと接続する接続部630と、変形荷重作用時に支持端700の曲面部720と接触する支持端接触部640を含む。
【００１７】
上記接続部630は、内装型及び外装型アンテナと接続され、上記支持端接触部640は、支持端700の曲面部720と接触される。
上記第2テンション部500は、上記固定端300の他端から延長され、円形に折曲されてその先端は上記固定端と平行になるように形成される。
上記支持端700は、上記第2テンション部500の先端から上記固定端と平行に所定の長さ延長される支持端平坦部710と、上記支持端平坦部710の先端から固定端折曲されて延長され、平坦部の反対方へ形成された一定曲率を持つ曲面部720を含み、上記曲面部720は、上記自由端の下に位置し、外部から上記接続部630に変形荷重が加えられる時に、上記支持端の曲面部720の一部が上記支持端接触部640と接触するように構成されている。
【００１８】
また、上記支持端接触部640と上記支持端700の曲面部720の間には、上記接続部630に荷重が加えると上記第1テンション部の変形によって上記両者が接触される程度の間隔があるか接触していることを特徴とする。
【００１９】
図6は、本発明の第1実施例による携帯電話用アンテナ接続装置の平面図である。
図7は、本発明の第1実施例による携帯電話用アンテナ接続装置の側面図である。
図7に図示にされたように、上記支持端700の曲面部720の先端が上記支持端700の支持端平坦部710より低く形成されている。このように上記自由端の接続部630と内装型アンテナとの接触によって、上記自由端に変形荷重が加えられた時に上記支持端700の支持端平坦部710よって、上記支持端700の曲面部720が優先的に固定端の上面に接触されることにより、変形荷重が上記支持端の曲面部720に分散され、上記第2テンション部500に作用する変形荷重が小くなって、変形荷重が除去された時の第2テンション部の回復程度が向上する。また、第2テンション部の弾性限度に到逹するためにより多くの変形荷重が必要になり、更に多くの外部衝撃に耐えられる。また、上記支持端700の水平長さ(A)が上記自由端600の水平長さ(B)よりもっと長いので、外部から変形荷重が加えられた時の上記第2テンション部の変形率が小さく、上記第2テンション部に小さな応力が作用する。
【００２０】
外部から作用する変形荷重は、優先的に上記携帯電話用アンテナ接続装置の自由端600に作用し、上記自由端の支持端接触部640と上記支持端700の曲面部720の接触によって上記支持端700に分散される。この分散された変形荷重は上記接続装置の第1テンション部400及び第2テンション部500に作用され、これによって各テンション部から固定端方向に上記携帯電話用アンテナ接続装置を押す変形荷重が発生する。
【００２１】
本発明の第1実施例による携帯電話用アンテナ接続装置では第1テンション部400と第2テンション部500を上記固定端の両先端に形成させたから、上記変形荷重を2つのテンション部に分散させ、上記第1テンション部400の変形荷重による変形負担を減らすことができ、また、第1テンション部から固定端方向に発生する変形荷重と第2テンション部から固定端方向に発生する変形荷重が互いに分散され、半田付けの堅固性も良くなる。また、上記2つのテンション部によってストッパ用ゴムが装着されなくても安定的で堅固な接続機能が確保でき、既存の発明に存在するストッパ用ゴムを追加的に装着する工程が無く生産費用が節減でき、工程難易度が高いストッパ用ゴム装着工程を無くすことにより工程時に発生する多数の不良製品の発生を阻むことができる。また、二重構造方式による材質の疲労度を効果的に分散させることにより持続的で安定的な接点機能を維持することができる。
【００２２】
本発明の第1実施例の場合に、変形荷重作用時に上記支持端700の曲面部720が上記自由端600と接触する時に接触面積が広くなるが、上記支持端700の曲面部720と接触する部分が曲線になるので上記接触による上記支持端700の曲面部720の傷が小さくなる。
【００２３】
図8は、本発明の第2実施例による携帯電話用アンテナ接続装置の斜視図である。
図8に図示されたように、本発明の第2実施例による携帯電話用アンテナ接続装置は、携帯電話のメインPCBと半田付けで接着される固定端300と、接続部630と自由端平坦部670及び垂直部650を含む自由端600と、支持端傾斜部730及び曲面部720を含む支持端700と、上記固定端と自由端を連結する第1テンション部400と、上記固定端と支持端を連結する第2テンション部500を含むことを特徴とする。
本発明の第2実施例は2つのテンション部を持って電波がアンテナに伝達される時に伝導性が向上する。
【００２４】
上記固定端300は、平板状であって携帯電話のメインPCBと半田付けで固定され、固定端の両側には対向する位置に半田付け溝310が形成されている。この半田付け溝310は、半田付け時に溶融状態の鉛が半田付け溝を覆う状態で凝固され、メインPCBと固定端の下面に鉛が満たされる。4つの半田付け溝に半田付けにより接触不良の可能性を低減して、半田付け時の冷半田付け現象を防止するだけでなく、半田付け性を向上させることができる。
また、半田付け溝が4つあって固定端に加えられる変形荷重が分散でき、変形荷重による半田付け溝へのすべての方向からの水平力に対しても相当な抵抗力を発揮して半田付けの堅固性が高められる。また、表面実装装置(Surface Mount Device・・・SMD)を利用する自動実装時に便利であり、アンテナ接続装置が自動実装時に外れる恐れがなくなる。
【００２５】
上記第1テンション部400は、上記固定端300の一端から延長され、円形に折曲されてその先端は上記固定端と平行になるように形成される。
上記自由端600は、上記第1テンション部400の先端から上記固定端300と平行な方向に延長される自由端平坦部670と、上記自由端平坦部670の先端から垂直に折曲されて上記固定端の垂直方向に延長される垂直部650と、上記垂直部650の先端から一定な曲率半径を持って円形に折曲されて、固定端側方向が開放された自由端曲面部660と、上記垂直部650と自由端曲面部660の上面に形成されアンテナと接続する接続部630と、変形荷重作用時に支持端700の曲面部720と接触する支持端接触部640を含む。
【００２６】
上記接続部630は、内装型及び外装形アンテナと接続し、上記支持端接触部640は支持端700の曲率部720と接触する。
上記第2テンション部500は、上記固定端300の他端から延長され、円形に折曲されて、その先端は上記固定端と平行に形成され、上記円形面の折曲面の一部に四角形模様の切開溝510が形成されている。
【００２７】
上記支持端700は、上記第2テンション部500の先端から上記固定端と遠くなる方向に所定の長さで延長される支持端傾斜部730と、上記支持端傾斜部730の先端から一定な曲率半径を持って上向きへ第2テンション部の方へ延長され、その先端が開放された曲面部720を含み、上記支持端700は上記自由端の下に位置し、外部から上記接続部630に変形荷重が加えられる時に、上記支持端の曲面部720の一部が上記支持端接触部640と接触するように構成されている。
【００２８】
また、上記支持端接触部640と上記支持端の曲面部720の間には、上記接続部630に荷重が加えると上記第1テンション部の変形によって上記両者が接触するほどの間隔があるか接触していることを特徴とする。
【００２９】
図9は、本発明の第2実施例による携帯電話用アンテナ接続装置の平面図である。
図10は、本発明の第2実施例による携帯電話用アンテナ接続装置の側面図である。
図10に図示されたように、上記支持端700の曲面部720が一定な曲率半径を持ち、上記自由端の接続部630と内装型アンテナとの接続による上記自由端に変形荷重が加えられた時に、変形荷重が上記支持端の曲面部720に分散されることにより、上記第2テンション部500に作用する荷重が小さくなり、変形荷重が除去された時の第2テンション部の回復程度が向上する。また、第2テンション部の弾性限度に到逹するためにより多くの変形荷重が必要になり、さらに多くの外部衝撃に耐えられる。かつ、図10に図示されたように、支持端700の水平長さAが自由端600の水平長さBよりさらに小さいので、外部から変形荷重が加えられた時の上記第1テンション部の変形率が小さく、上記第1テンション部にかかる応力が小さくなる。
一方、第1テンション部の曲率半径は上記第2テンション部の曲率半径より大きいことが望ましい。
【００３０】
本発明の第2実施例に対して、外部から作用する変形荷重は、優先的に上記携帯電話用アンテナ接続装置の自由端600に作用し、上記自由端の支持端接触部640と上記支持端700の曲面部720の接触によって上記支持端700に分散される。この分散された変形荷重は、上記接続装置の第1テンション部400及び第2テンション部500に作用し、これにより各テンション部から固定端方向に上記携帯電話用アンテナ接続装置を押す変形荷重が生ずる。
【００３１】
本発明の第2実施例による携帯電話用アンテナ接続装置では、第1テンション部400と第2テンション部500を上記固定端の両先端に形成させたから、上記変形荷重を2つのテンション部に分散させ、上記第1テンション部400の変形荷重による変形負担が減らせ、また、第1テンション部から固定端方向に発生する変形荷重と第2テンション部から固定端方向に発生する変形荷重が互いに分散して半田付けの堅固性にも良くなる。
また、上記2つのテンション部によりストッパ用ゴムが装着されなくても安定的で堅固な接続機能を確保することができ、既存の発明に存在するストッパ用ゴムを追加的に装着する工程が無く、生産費用の節減ができ、工程難易度が高いストッパ用ゴム装着工程も無く、工程時に発生する多数の不良製品の発生を阻むことができる。また、二重構造方式による材質の疲労度を效果的に分散させることにより持続的で安定的な接点機能を維持することができる。
【００３２】
本発明の第2実施例の場合に、変形荷重作用時に上記支持端700の曲面部720が上記自由端600と接触する時に接触面積が広くなるが、上記支持端の曲面部720と上記自由端曲面部660が一定な曲率半径で接触し、上記接触による上記支持端700の曲面部720に生ずる傷の発生が少ない。
【００３３】
図11は、本発明の第2実施例に変形荷重が作用する時に変形される前と変形された後の模様が図示されている。外部から変形荷重が作用されると自由端に変形荷重が作用し、自由端が支持端と接触し、また、変形荷重が支持端と2つのテンション部に分散される。
【００３４】
図12は、本発明の第2実施例が内装用アンテナ1000に設けられた時に対して図示されている。自由端の接続部630に内装用アンテナ1000が接続されている。
図13は、内装用アンテナ1000に変形荷重が作用して本発明の第2実施例に変形が生じた場合が図示されている。
図示されたように、上記支持端700の曲面部720が上記固定端300の上面に接触すると、外部の変形荷重が上記支持端700の曲面部720に分散されて作用し、これに応じてより大きな変形荷重が作用しても第1テンション部400に変形荷重の影響がなく、応力の増加にならない。また、2つのテンション部が既存のストッパ用ゴムの役割になるのでストッパ用ゴムが不必要になる。
【００３５】
図14は、本発明の第2実施例に固定端300の両側面に固定フック320と自由端の両側面に係止突起680が加えられた第3実施例の側面図である。
固定フックと係止突起の以外には本発明の第2実施例と同一であるので固定フックと係止突起を主にして説明する。上記自由端の係止突起680が上記固定端の両側面に位置された固定フック320に係止されることにより、上記自由端600の自由端平坦部670の水平を維持することにより、上記第1テンション部400に一定な変形荷重が作用されたことと同じく一定な応力が作用される。上記第1テンション部400に外部から加える変形荷重がなくても、あたかも外部から一定程度の変形荷重が加えられたかのような効果が発生して、外部から変形荷重が加えられても上記自由端の移動距離がより短くなり、外部の変形荷重が増加されでも殆ど一定で線形的に増加する。
従って、小さな変形荷重が作用する時に上記自由端600の移動距離が増えることが防止できる。また、上記自由端600の自由端平坦部670が水平を維持して、アンテナ接続装置の半田付けのために空気を吸入して上記アンテナ接続装置を持ち上げる時にさらに便利に作業することができる。
【００３６】
図15は、本発明の第3実施例に変形荷重が作用して上記自由端が変形された模様が図示されている。
図16は、本発明の第4実施例による携帯電話用アンテナ接続装置の斜視図である。
図17は、本発明の第4実施例による携帯電話用アンテナ接続装置の側面図である。
図18は、本発明の第4実施例に変形荷重が作用するときに変形される前と変形された後の模様が図示されている。
【００３７】
図16に図示されたように、本発明の第4実施例による携帯電話用アンテナ接続装置は、携帯電話のメインPCBと半田付けで接着される固定端300と、接続部630と自由端平坦部670及び垂直部650を含む自由端600と、曲面型支持端垂直部810と曲面型支持端支持部820及び曲面型支持端水平部830を含む曲面型支持端800と、上記固定端と自由端を連結する第1テンション部400を含むことを特徴とする。
【００３８】
上記固定端300は、平板状であって、携帯電話のメインPCBと半田付けで固定され、固定端の両側には対向する位置に半田付け溝310が形成されている。この半田付け溝310は、半田付け時に溶融状態の鉛が半田付け溝を覆う状態で凝固され、メインPCBと固定端下面に鉛が満たされている。4つの半田付け溝に半田付けにより接触不良の可能性を低減して、半田付け時の冷半田付け現象を防止するだけでなく半田付け性を向上させることができる。また、半田付け溝が4つあって固定端に加えられる変形荷重を分散させることができ、変形荷重による半田付け溝方向への全ての方向からの水平力に対しても相当な抵抗力を発揮して、半田付けの堅固性が高められる。また、表面実装装置(Surface Mount Device・・・SMD)を用いる自動実装時に便利であり、アンテナ接続装置が自動実装時に外れる恐れがない。
【００３９】
上記第1テンション部400は、上記固定端300の一端から延長され、円形に折曲されてその先端は上記固定端と平行になるように形成される。
【００４０】
上記自由端600は、上記第1テンション部400の先端から上記固定端300と平行な方向に延長される自由端平坦部670と、上記自由端平坦部670の先端から垂直に折曲されて上記固定端の垂直方向に延長される垂直部650と、上記垂直部650の先端から一定な曲率半径を持って円形に折曲されて固定端側方向が開放された自由端曲面部660と、上記垂直部650と自由端曲面部660の上面に形成されてアンテナと接続する接続部630と、変形荷重作用時に曲面支持端800の曲面型支持端支持部820と接触する支持端接触部640を含む。
【００４１】
上記接続部630は、内装型及び外装型アンテナと接続し、上記支持端接触部640は、曲面支持端800の曲面型支持端支持部820と接触する。
【００４２】
上記曲面型支持端800は、上記固定端300の先端から垂直に折曲され、上記固定端の垂直方向に延長される曲面型支持端垂直部810と上記曲面型支持端垂直部810の先端から一定な曲率半径を持って円形に折曲されて、固定端側方向が開放された曲面型支持端支持部820と、上記曲面型支持端支持部820の先端から垂直に下に折曲されて上記固定端の下方の垂直方向に延長されるもう１つの曲面型支持端垂直部810と、上記曲面型支持端垂直部810の先端から水平で横に折曲されて上記固定端と遠くなる方向で水平方向に延長される曲面型支持端水平部830から構成されている。
上記曲面型支持端800は上記自由端の下に位置し、外部から上記接続部630に変形荷重が加えられる時に、上記曲面型支持端支持部820の一部が上記支持端接触部640と接触するように構成されている。
【００４３】
また、上記支持端接触部640と上記曲面型支持端支持部820の間には、上記接続部630に荷重が加えられると、上記第1 テンション部の変形によって上記両者が接触される程度の間隔があるか接触していることを特徴とする。
【００４４】
以下では、図3に図示されている従来技術による携帯電話用アンテナ接続装置と、第4実施例による携帯電話用アンテナ接続装置の耐久性に対して比較する。
従来技術による場合には PUSH割合が50%までに正常であるが、PUSH割合60%以上で接続部から変形が生じてPUSH 割合が70%以上では接続部が折れる。
しかし、第4実施例による携帯電話用アンテナ接続装置はPUSH割合が60%までが正常であり、PUSH割合70%以上で接続部から変形が生ずるがPUSH割合70%以上でも接続部が折れない。また、荷重が加えられてから復帰後の変位の変更量が少なく、耐力面では従来技術が5.0Kgが最高値であるが第4実施例は20Kgにも達する。
【００４５】
以上から、説明した内容を通じて本業に携わる当業者なら本発明の技術思想を離脱されない範囲内で多様な変更及び修正ができる。
従って、本発明の技術的範囲は、実施例に記載された内容だけに限定されず特許請求範囲によって決まらなければならない。
【産業上の利用可能性】
【００４６】
本発明はアンテナ接続装置に関する。更に詳しくは2つのテンション部と支持端の曲面部によって効果的に外部荷重を分散させてストッパ用ゴムの必要がないアンテナ接続装置に関する。
【００４７】
本発明では、アンテナ接続装置において、平板状の固定端と、上記固定端の一端から延長されて丸く曲がった第1テンション部と、上記第1テンション部の先端から延長され、上記固定端側反対側に折曲され延長される長傾斜部と、上記長傾斜部先端から折曲されて延長された短傾斜部を含む自由端と、上記固定端の他端から延長され丸く曲がった第2テンション部と、上記第2テンション部の先端から平坦に延長される平坦部と、上記平坦部の先端から上記固定端側反対側に折曲され延長されるが上記第1テンション部の方へ丸く曲がったまま延長され形成された曲面部を含む支持端を含み、上記曲面部は上記自由端下側に位置することを特徴とするアンテナ接続装置が提示されている。
【００４８】
特許制度の趣旨が発明の保護、奨励及びその利用を通じて技術発展を促進させて究極的には国家産業発展に貢献することを目的とするので発明は産業上利用可能性がなければならない。上記アンテナ接続装置は品物に対する発明であるので大量生産が可能であり、産業上の利用可能性が認められる。
【符号の説明】
【００４９】
300・・・固定端、310・・・半田付け溝、320・・・固定フック、400・・・第1テンション部、500・・・第2テンション部、510・・・切開溝、600・・・自由端、610・・・長傾斜部620・・・短傾斜部、630・・・接続部、640・・・支持端接触部、650・・・垂直部、660・・・自由端曲面部、670・・・自由端平坦部、680・・・係止突起、700・・・支持端、710・・・支持端平坦部、720・・・曲面部、730・・・支持端傾斜部、800・・・曲面型支持端、810・・・曲面型支持端垂直部、820・・・曲面型支持端支持部、830・・・曲面型支持端水平部、1000・・・内装用アンテナ。
【図１】
2011521585.tif 000003
【図２】
2011521585.tif 000004
【図３】
2011521585.tif 000005
【図４】
2011521585.tif 000006
【図５】
2011521585.tif 000007
【図６】
2011521585.tif 000008
【図７】
2011521585.tif 000009
【図８】
2011521585.tif 000010
【図９】
2011521585.tif 000011
【図１０】
2011521585.tif 000012
【図１１】
2011521585.tif 000013
【図１２】
2011521585.tif 000014
【図１３】
2011521585.tif 000015
【図１４】
2011521585.tif 000016
【図１５】
2011521585.tif 000017
【図１６】
2011521585.tif 000018
【図１７】
2011521585.tif 000019
【図１８】
2011521585.tif 000020
【国際調査報告】
2011521585.tif 000021
2011521585.tif 000022
2011521585.tif 000023
2011521585.tif 000024